(57)【要約】【課題】  自動車のバックドアを開け、自動車後部の床面やトランクの縁を椅子代わりに利用することで、野外の開放感と車外への行動性を高めた、自動車用収納テーブルを提供する。【解決手段】  自動車車内に固定したアーム支持体４ａに、アーム３ａを取り付け、アーム３ａのもうひとつの先に、テーブル１ａと接合したテーブル支持体２ａを取り付けた構造を成し、アーム固定ネジ５で、テーブル１ａの高さを決め、テーブル支持体固定ネジ６で、テーブル１ａの前後と水平の位置を決めて利用できるようにする。【選択図】図１
2018008669.tif 000002
【特許請求の範囲】
【請求項１】
未使用時は自動車車内に収納されており、テーブルを構成する部品の一部を自動車車内（本願書では、トランク内も含む）に固定することで、通常のテーブルの脚を必要とせず、バックドア（本願書では、リアゲート、ハッチバック、トランクリッドもバックドアと言う）を開けて、自動車の後部床面かトランクの縁を椅子代わりにすることで、利用できる自動車用収納テーブル。
【発明の詳細な説明】
【技術分野】
【０００１】  本発明は、自動車用収納テーブルに関する。
【背景技術】
【０００２】  従来、自動車で出かけ、キャンプ、魚釣り、景観を見ながら食事、描画、写真撮影などで、テーブルを利用したいときは、事前にテーブルと椅子を自動車に積載し、目的地で運び出して使っていた。【０００３】  自動車に装備されたテーブルは車内で使う物がほとんどである。車外で使える物では、［特許文献１］と［特許文献２］のような自動車後部からテーブルを引き出して使う物があった。
【先行技術文献】
【０００４】
【特許文献１】特開２００８−１８４１４８  車両外装品
【特許文献２】特開２００９−１１３６４９  車用簡易テーブル
【０００５】
【非特許文献】
【非特許文献】なし
【発明の概要】
【発明が解決しようとする課題】
【０００６】  しかしながら、テーブルや椅子を使うためには、事前に自動車に積載する必要があり、積載していなければ不意の利用に対応できなかった。テーブルや椅子を積載することから、車内のスペースを占有し、人員や荷物の積載を制限する問題があった。【０００７】  自動車後部からテーブルを引き出す装備があるものは、キャンピングカーなど特殊な車両に限られ、別途椅子を準備しなければならない問題があった。
【課題を解決するための手段】
【０００８】  上述した、自動車で出かけた先で、不意の利用にも対応できるようにするため常時、自動車車内に積載しておく必要がある。テーブルの部品の一部を自動車車内に固定することで、テーブルの脚を必要とせず、未使用時はコンパクトに収納できる自動車用収納テーブル。【０００９】  自動車の後部床面かトランクの縁を椅子代わりに利用できる位置にテーブルを配置させることで、椅子の積載を必要としない自動車用収納テーブル。【００１０】  自動車の後部を椅子代わりにして利用し、車外方向へ向けて腰掛けるため、車外の開放感を味わえ、車外への行動性を高められる自動車用収納テーブル。
【発明の効果】
【００１１】  本発明により、椅子を積載することなく、事前に計画していなくても、出かけ先のどこでも、車外の開放感が味わえ、車外への行動が簡単な自動車後部で利用できる自動車用収納テーブルを提供できる。
【図面の簡単な説明】
【００１２】
【図１】  本発明の自動車用収納テーブルの使用時の斜視図である。
【図２】  図１のテーブル部分を下方よりみた斜視図である。
【図３】  図１の収納時の斜視図である。
【図４】  本発明の自動車用収納テーブルの別実施例の斜視図である。
【図５】  図４のテーブル部分を下方よりみた斜視図である。
【図６】  図４の収納時の斜視図である。
【図７】  図４の使用時の側面である。
【図８】  図４の収納時の側面図である。
【図９】  本発明の自動車用収納テーブルの別実施例の斜視図である。
【図１０】  図９のテーブル部分を下方よりみた斜視図である。
【図１１】  図９の可動アーム留め１２の拡大図である。
【図１２】  図９の折りたたむ途中の斜視図である。
【図１３】  図９の完全に折りたたんだ状態の斜視図である。
【図１４】  図９の天板を大型の物に変えた斜視図である。
【図１５】  本発明の自動車用収納テーブルの別実施例の斜視図である。
【図１６】  図１５のテーブル部分を下方よりみた斜視図である。
【図１７】  図１５ルのアーム部分の斜視図である。
【図１８】  図１５のアーム支持体の斜視図である。
【図１９】  図１５のテーブル部分を下方よりみた斜視図である。
【図２０】  図１５の交換用の大型テーブルを下方より見た斜視図である。
【図２１】  図１５のテーブル天板を折りたたみにした物を下方から見た斜視図である。
【図２２】  本発明の自動車用収納テーブルの別実施例の斜視図である。
【図２３】  図２２の収納時の状態の斜視図である。
【図２４】  本発明の自動車用収納テーブルの別実施例の斜視図である。
【図２５】  図２４のテーブル部分を下方よりみた斜視図である。
【図２６】  図２４の収納時の状態の斜視図である。
【図２７】  本発明の１人での利用イメージ図である。
【図２８】  本発明の２人での利用イメージ図である。
【発明を実施するための形態】
【実施例】
【００１３】  本発明の実施例は下記のようになる。【００１４】（イ）図１、図２、図３、は同じ実施例で、アーム３ａを回転させることにより、テーブルの利用と収納ができる。図３の収納状態から、アーム固定ネジ５を緩め、後方に半回転させ、アーム３ａを上下に動かしテーブルの高さを決め、固定ネジ５を締める。テーブル天板固定ネジ６を緩め、テーブルの水平と前後の位置を決め、テーブル天板固定ネジ６を締めて利用できる状態にする。収納するときは、逆の手順で進める。図３の収納の状態で、荷物が積載されアーム３ａの回転が出来ない場合、アーム固定ネジ５を緩め、アーム３ａを引き抜き、半回転させた状態で差し込むことにより利用が可能である。【００１５】（ロ）図４、図５、図６、図７、図８は同じ実施例で、アーム３ｂを伸縮させることにより、テーブルの利用と収納ができる。図６の収納状態から、アーム固定ネジ５を緩め、テーブル１ｂの前後の位置を決め、アーム固定ネジ５を締める。テーブル１ｂを持ち上げ、テーブル支持体支持棒９を留め具１０にかけて利用できる状態にする。収納するときは、逆の手順で進める。【００１６】（ハ）図９、図１０、図１１、図１２、図１３は同じ実施例で、アーム３ｃを展開と折りたたむことにより、テーブルの利用と収納ができる。図１３の収納状態から、テーブル１ｃを引き上げ、２つのアーム３ｃが真っ直ぐになった状態で、可動アーム留め１３を図１１のように９０度回転させることにより、アーム３ｃが真っ直ぐ伸びた状態を維持できる。伸びたアームはアーム支持体４ｃにあるアーム留め１５に当たり、テーブルが利用できる位置になる。テーブル天板支持体２ｃにあるテーブル天板固定ネジ６で、テーブル１ｃの水平を調整して締めて利用できる状態にする。収納するときは、逆の手順で進める。【００１７】（ニ）図１４は、（ハ）のテーブル天板３１ｃとテーブル天板支持体３２ｃの２つを代えることにより、２人で使えるようにしたものである。【００１８】（ホ）図１５、図１６、図１７、図１８、図１９は、同じ実施例で、アーム３ｄとテーブル天板支持体２ｄを組み立てと分解させることにより、テーブルの利用と収納ができる。通常は、アーム支持体４ｄを自動車に固定させておく。テーブル天板１ｄとテーブル天板支持体２ｄを接合させた部分と、アーム３ｄは、分離させた状態で積載しておく。アーム３ｄをアーム支持体４ｄに組み込みアーム固定ネジ５で固定する。テーブル天板支持体２ｄをアーム３ｄに組み込みテーブル天板固定ネジ６で固定して利用できる状態にする。収納するときは、逆の手順で進める。【００１９】（ヘ）図２０は、（ホ）のテーブル天板３１ｄとテーブル天板支持体３２ｄの２つを代えることにより、２人で使えるようにしたものである。【００２０】（ト）図２１は、（ホ）のテーブル天板支持体２ｄとアーム３ｄを蝶番１１で接合したものである。テーブル１ｅを起こし、テーブル支持体支持棒９を留め１０にいれて固定させて利用できる状態にする。アーム支持体は（ホ）と同じである。【００２１】（チ）図２２、図２３、は、同じ実施例で、アーム３ｆを伸縮させることにより、テーブルの利用と収納ができる。図２３の収納状態からテーブル天板３１ｆを引き起こし、���つのアーム３ｆを伸ばし前後の位置を決めて、アーム固定ネジ５を締める。次に高さを決めるため、１６ａの溝のいずれかにアーム支持棒１６を起こして、差込む。テーブル天板支持体３２ｆに付いた、テーブル天板固定ネジ６でテーブルを水平にした状態でネジを締めつけ固定して利用できる状態にする。収納するときは、逆の手順で進める。【００２２】（リ）図２４、図２５、図２６は同じ実施例で、アーム支持体４ｇをスライドさせることにより、テーブルの利用と収納ができる。図２６の収納状態から、テーブル天板３１ｇを引き起こし、アーム支持体４ｇをアーム支持体スライド部１７の中を手前に移動する。アーム支持棒１６をアーム支持棒受け口１９へ差し込みアームを固定する。テーブル天板１の水平の状態にして、テーブル天板固定ネジ６を締め付け固定して利用できる状態にする。収納するときは、逆の手順で進める。
【産業上の利用可能性】
【００２３】  本発明の自動車後部に腰掛けた状態で利用できるテーブルはこれまでに無く、この発明により、レジャーや仕事の際、野外の開放感を味わえ、車外への行動性の良い、有効に利用できるテーブルを提供できる。
【符号の説明】
【００２４】１ａ、１ｂ、１ｃ、１ｄ、１ｅ、  １人用テーブル天板
２ａ、２ｂ、２ｃ、２ｄ、２ｅ、  テーブル天板支持体
３ａ、３ｂ、３ｃ、３ｄ、３ｅ、３ｆ、３ｇ、  アーム
４ａ、４ｂ、４ｃ、４ｄ、４ｆ、４ｇ、  アーム支持体
５、  アーム固定ネジ
５ａ、  アーム固定ネジ穴
５ｂ、  アーム固定ネジ差込み穴
６、  テーブル天板固定ネジ
６ａ、  テーブル天板固定ネジ穴
６ｂ、  テーブル天板固定ネジ差込み穴
７、  テーブル天板支持体取り外しネジ
８、  アーム支持体取り付けネジ差込み穴
９、  テーブル支持体支持棒
１０、  留め具
１１、  蝶番
１２、  アームとテーブル支持体固定ネジ
１２ａ、  アームと支持体固定ネジ
１３、  可動アーム留め
１４、  回転軸
１５、  アーム留め
１６、  アーム支持棒
１６ａ、  アーム支持棒留め具
１７、  アーム支持体スライド部
１８、  スライド溝
１９、  アーム支持棒受け口
３１ｃ、３１ｄ、３１ｅ、３１ｆ、３１ｇ、  ２人用テーブル天板
３２ｃ、３２ｄ、３２ｆ、３２ｇ、  ２人用テーブル天板支持体
４０、  自動車
５０、  １人用テーブル１ａ、１ｂ、１ｃ、１ｄ、１ｅ、の利用イメージ図
６０、  １人用テーブルのアーム３ａ、３ｂ、３ｃ、３ｄ、３ｅ、の簡略図
７０、  ２人用テーブル３１ｃ、３１ｄ、３１ｅ、３１ｆ、３１ｇ、の利用イメージ図
【図１】
2018008669.tif 000003
【図２】
2018008669.tif 000004
【図３】
2018008669.tif 000005
【図４】
2018008669.tif 000006
【図５】
2018008669.tif 000007
【図６】
2018008669.tif 000008
【図７】
2018008669.tif 000009
【図８】
2018008669.tif 000010
【図９】
2018008669.tif 000011
【図１０】
2018008669.tif 000012
【図１１】
2018008669.tif 000013
【図１２】
2018008669.tif 000014
【図１３】
2018008669.tif 000015
【図１４】
2018008669.tif 000016
【図１５】
2018008669.tif 000017
【図１６】
2018008669.tif 000018
【図１７】
2018008669.tif 000019
【図１８】
2018008669.tif 000020
【図１９】
2018008669.tif 000021
【図２０】
2018008669.tif 000022
【図２１】
2018008669.tif 000023
【図２２】
2018008669.tif 000024
【図２３】
2018008669.tif 000025
【図２４】
2018008669.tif 000026
【図２５】
2018008669.tif 000027
【図２６】
2018008669.tif 000028
【図２７】
2018008669.tif 000029
【図２８】
2018008669.tif 000030